(57)【特許請求の範囲】
【請求項１】
加熱部の出力を制御する制御手段と、入力装置を有する操作部と、前記操作部の入力装置で入力される命令に応じてタイマー調理の時間を設定、変更する調理時間変更手段と、前記調理時間変更手段により変更された調理時間を表示する表示手段と、有効な操作が行われた時報知する報知手段とを備え、前記調理時間変更手段は最大調理時間が設定されたことを検知すると、通常の調理時間変更とは異なる報知パターンで、最大調理時間が設定されたことを報知手段により報知することを特徴とする加熱調理器。
【請求項２】
調理時間変更手段は、操作部の入力装置に連続的に入力がある間、一定時間毎に自動的にタイマー調理時間の変更を行い、最大調理時間が設定されたことを検知すると、操作部の連続的な入力があっても自動的なタイマー調理時間の変更を停止するとともに、通常の調理時間変更とは異なる報知パターンで、最大調理時間が設定されたことを報知手段により報知することを特徴とする請求項１に記載の加熱調理器。
【請求項３】
制御手段は、調理時間がある時間に到達すると、使用者の操作によるタイマー調理時間設定のありなしに関わらず、安全のため加熱を終了する加熱時間監視手段を有し、調理開始後にタイマー調理時間を設定、変更した時に、安全加熱時間を超えて加熱を継続しないように設定可能な最大調理時間を変更することを特徴とする請求項１または２に記載の加熱調理器。
【請求項４】
制御手段は、調理開始後にタイマー調理時間を変更した時に、安全加熱時間を超えないように設定可能な最大調理時間を変更する場合、最大調理時間が１回の変更操作で変更される時間単位の間にあっても、時間単位にあわせず、開始からタイマー調理終了までの時間が安全加熱時間を超えない最大の値を最大調理時間して表示と報知を行う請求項１または２または３に記載の加熱調理器。
【請求項５】
請求項１から請求項４のいずれか１項に記載の加熱調理器の全てもしくは一部として、コンピュータを機能させるプログラム。
【発明の詳細な説明】
【技術分野】
【０００１】
本発明は、操作部の入力によってタイマー設定を行い、設定時間到達時に自動的に加熱を終了する加熱調理器に関するものである。
【背景技術】
【０００２】
従来、この種の調理器はタイマーキ−を操作する毎に、タイマー調理時間を変更し、最小調理時間から最大調理時間まで変更可能になっている。最大調理時間が設定された状態でタイマーキ−を操作すると、タイマー調理を取り消す、もしくは最小調理時間に戻るようになっている。（例えば、特許文献１参照）
【特許文献１】特許第３２６４２３５号公報
【発明の開示】
【発明が解決しようとする課題】
【０００３】
しかしながら、前記従来の構成では、タイマー調理の設定時間可能な時間が多く、最大調理時間を設定する際にタイマーキーを何度も操作しなければならない場合、すばやくタイマーキー操作を繰り返して、タイマー調理時間取消しあるいは最小調理時間に戻ってしまい使い勝手が悪いという課題を有していた。またタイマーキーを押し続けることでタイマー調理時間の連続変更を行う構成においても、タイマーキーを離すのが遅れると同様の課題を有していた。
【０００４】
また、タイマー調理時間設定のありなしに関わらず安全のため加熱開始から一定時間経過で加熱を終了する構成においては、調理を開始してからタイマー調理時間を設定した場合、設定時間が大きければ、加熱開始からタイマー調理終了までの時間が、安全のための加熱終了時間を超える場合があり、例えば、ガス調理器などの場合、周囲が異常加熱し危険となる可能性があるという課題を有していた。
【０００５】
本発明は、前記従来の課題を解決するもので、使い勝手がよく、安全なタイマー調理機能を備えた加熱調理器を提供することを目的とする。
【課題を解決するための手段】
【０００６】
前記従来の課題を解決するために、本発明の加熱調理器は、タイマーキーの操作により最大調理時間に到達した時に、通常のタイマー調理時間変更の受付時とは異なる報知パターンで最大調理時間が設定されたこと報知するとしたものである。またタイマーキーを押し続けることでタイマー調理時間の連続変更を行う構成においても、タイマーキーを押し続けていても最大調理時間に到達した時に、タイマー調理時間の連続変更を停止し、同様に最大調理時間が設定されたこと報知するとしたものである。
【０００７】
これによって、最大調理時間を設定しようとして、タイマーキーを余分に操作して、誤ってタイマー調理時間取消しあるいは最小調理時間に戻ってしまうことがなくなり、長いタイマー調理時間も容易に設定することができる。
【０００８】
また、本発明の加熱調理器は、タイマー調理時間設定のありなしに関わらず安全のため加熱開始から一定時間経過で加熱を終了する構成において、調理を開始してからタイマー調理時間を設定した場合、加熱開始からタイマー調理終了までの時間が、安全のための加熱終了時間を超えないように設定可能な最大調理時間を変更するので、例えば、ガス調理器などの場合で周囲が異常加熱して不安全になることを防止できる。
【発明の効果】
【０００９】
本発明の加熱調理器は、最大調理時間を設定する際にタイマーキーを何度も操作しなければならない場合であっても、誤操作することがなく、容易にタイマー設定をすることができる。
【発明を実施するための最良の形態】
【００１０】
第１の発明は加熱部の出力を制御する制御手段と、入力装置を有する操作部と、操作部の入力装置で入力される命令に応じてタイマー調理の時間を設定、変更する調理時間変更手段と、調理時間変更手段により変更された調理時間を表示する表示手段と、有効な操作が行われた時報知する報知手段とを備え、調理時間変更手段は最大調理時間が設定されたことを検知すると、通常の調理時間変更とは異なる報知パターンで、最大調理時間が設定されたことを報知手段により報知することにより、最大調理時間を設定しようとして、タイマーキーを余分に操作し、誤ってタイマー調理時間取消しあるいは最小調理時間に戻ってしまうことがなくなり、長いタイマー調理時間も容易に設定することができる。
【００１１】
第２の発明は、特に、第１の発明の調理時間変更手段において、タイマーキーを押し続けることでタイマー調理時間の連続変更を行う場合、タイマーキーを押し続けていても最大調理時間に到達した時に、タイマー調理時間の連続変更を停止し、報知手段により最大調理時間が設定されたこと報知することにより、タイマーキーを離すのが遅れて、誤ってタイマー調理時間取消しあるいは最小調理時間に戻ってしまうことがなくなり、長いタイマー調理時間も容易に設定することができる。
【００１２】
第３の発明は、特に、第１の発明または第２の発明の制御手段を、調理時間がある時間に到達すると、使用者の操作によるタイマー調理時間設定のありなしに関わらず、安全のため加熱を終了する加熱時間監視手段を有し、調理開始後にタイマー調理時間を設定または変更した場合に、開始からタイマー調理終了までの時間が安全加熱時間を超えない値に、設定可能な最大調理時間を変更することにより、使用者がいつタイマー操作を行っても、異常加熱するような長時間のタイマー設定を誤ってすることがなくなるため、不安全になることを防止できる。
【００１３】
第４の発明は、特に、第１〜第３のいずれか１つの発明の制御手段を、調理開始後にタイマー調理時間を変更した時に、安全加熱時間を超えないように設定可能な最大調理時間を変更する場合、最大調理時間が１回の変更操作で変更される時間単位の間にあっても、時間単位にあわせず、開始からタイマー調理終了までの時間が安全加熱時間を超えない最大の値を最大調理時間として表示と報知を行うことにより、使用者が正確な残り時間を知ることができ、安全に配慮しながらも使い勝手のよいタイマー調理機能の加熱調理器を提供することができる。
【００１４】
以下、本発明の実施の形態について、図面を参照しながら説明する。なお、本実施の形態によって本発明が限定されるものではない。
【００１５】
（実施の形態１）
図１は、本発明の第１および第２の実施の形態における加熱器のブロック構成図を示すものである。
【００１６】
図１において、１は入力装置を備えた操作部でタイマーキー２を備えている。３はタイマー調理時間を表示する表示部、４はタイマー調理時間の変更受付等を報知する報知部である。５はタイマー調理の設定を制御する調理時間変更手段である。６は加熱部で例えばガスのバーナ、ＩＨ調理器や電熱器の加熱部があげられる。７は加熱部６の加熱の開始や終了を制御する制御部である。
【００１７】
以上のように構成された加熱器について、以下その動作、作用を説明する。
【００１８】
操作部１のタイマーキー２を押下すると調理時間変更手段５がタイマー調理時間を変更し、表示部３に表示させ、報知部４にタイマー調理時間の変更受付をブザーや音声等で報知させる。調理時間変更手段５は加熱開始からの経過時間がタイマー調理時間に到達すると制御部７に命令を出し加熱部６の加熱を終了させる。
【００１９】
タイマーキー２を押下する毎に調理時間変更手段５は前記処理を繰り返し、タイマー調理時間を上げていき、最大調理時間になった場合、通常のタイマー調理時間の変更受付とは異なった報知パターンで報知を行う。具体的には、タイマーキー２を押下する毎にタイマー調理時間を「１０分」→「２０分」→「３０分」と上げていき最大調理時間の「１２０分」の次にタイマーキー２を押下すると最小調理時間の「１０分」に戻る場合、「１２０分」を設定した時点で音声、ブザー等で最大調理時間になったことを報知することが例として挙げられる。
【００２０】
以上のように本実施の形態においては、タイマーキーの操作により最大調理時間に到達した時に、通常のタイマー調理時間変更の受付時とは異なる報知パターンで最大調理時間が設定されたこと報知することにより、最大調理時間を設定しようとして、タイマーキーを余分に操作して、誤ってタイマー調理時間取消しあるいは最小調理時間に戻ってしまうことがなくなり、長いタイマー調理時間も容易に設定することができる。
（実施の形態２）
図１は、本発明の第１および第２の実施の形態における加熱器のブロック構成図を示すものである。
【００２１】
構成は第１の実施の形態と同様であるため省略し、以下その動作、作用を説明する。
【００２２】
操作部１のタイマーキー２を押し続けると、一定時間毎に調理時間変更手段５がタイマー調理時間を連続的に変更し、表示部３に表示させる。
【００２３】
タイマーキー２を押し続けている間、一定時間毎に調理時間変更手段５はタイマー調理時間を上げていき、最大調理時間になった場合、タイマーキー２を押し続けらていても、タイマー調理時間の連続変更を停止し、通常のタイマー調理時間の変更受付とは異なった報知パターンで報知を行う。具体的には、タイマーキー２を押し続けている間、一定時間毎にタイマー調理時間を「１０分」→「２０分」→「３０分」と上げていき最大調理時間の「１２０分」になった時点で変更を停止し、音声、ブザー等で最大調理時間になったことを報知し、一旦タイマーキー２を離してから再度操作しないと最小調理時間の「１０分」には戻らないという例が挙げられる。
【００２４】
以上のように本実施の形態においては、タイマーキーを押し続けていても最大調理時間に到達した時に、タイマー調理時間の連続変更を停止し、通常のタイマー調理時間変更の受付時とは異なる報知パターンで最大調理時間が設定されたこと報知することにより、最大調理時間を設定しようとして、タイマーキー離すのが遅れ、誤ってタイマー調理時間取消しあるいは最小調理時間に戻ってしまうことがなくなり、長いタイマー調理時間も容易に設定することができる。
（実施の形態３）
図２は、本発明の第３および第４の実施の形態における加熱器のブロック構成図を示すものである。図１同じものについては同一の番号を付している。
【００２５】
図２において、１は入力装置を備えた操作部でタイマーキー２を備えている。３はタイ
マー調理時間を表示する表示部、４はタイマー調理時間の変更受付等を報知する報知部である。５はタイマー調理の設定を制御する調理時間変更手段である。６は加熱部で例えばガスのバーナ、ＩＨ調理器や電熱器の加熱部があげられる。７は加熱部６の加熱の開始や終了を制御する制御部である。制御部７は調理時間がある時間に到達すると、使用者の操作によるタイマー調理時間設定のありなしに関わらず、安全のため加熱を終了する加熱時間監視手段８を備えている。
【００２６】
以上のように構成された加熱器について、以下その動作、作用を説明する。
【００２７】
まず、加熱調理を開始すると、加熱時間監視手段８は開始からの調理時間が安全加熱時間を超えていないかを監視を行う。調理開始から任意の時間経過後、タイマーキー２を操作し、タイマー調理時間を設定あるいは変更した場合、調理時間変更手段５は、開始からタイマー調理終了までの時間が安全加熱時間を超えない値に、設定可能な最大調理時間を変更する。具体的には、安全加熱時間が「１２０分」で、調理開始前に設定可能なタイマー調理時間が「１０分」から「１２０分」までの加熱器で、加熱調理開始から３０分後にタイマー設定を行った場合、設定可能な最大調理時間は「９０分」となるという例が挙げられる。
【００２８】
以上のように本実施の形態においては、使用者が調理開始後にタイマー操作を行っても、異常加熱するような長時間のタイマー設定を誤ってすることがなくなるため、不安全になることを防止できる。
（実施の形態４）
図２は、本発明の第３および第４の実施の形態における加熱器のブロック構成図を示すものである。
構成は第３の実施の形態と同様であるため省略し、以下その動作、作用を説明する。
【００２９】
調理開始から任意の時間経過後、タイマーキー２を操作し、タイマー調理時間を設定あるいは変更した場合、調理時間変更手段５は、開始からタイマー調理終了までの時間が安全加熱時間を超えない値に、設定可能な最大調理時間を変更し、表示と報知を行う。この時、調理時間変更手段５は最大調理時間が１回の変更操作で変更される時間単位の間にあっても、時間単位にあわせず、開始からタイマー調理終了までの時間が安全加熱時間を超えない最大の値を最大調理時間とする。具体的には、安全加熱時間が「１２０分」で、調理開始前に設定可能なタイマー調理時間が１０分間隔で「１０分」から「１２０分」までの加熱器で、加熱調理開始から２３分後にタイマー設定を行った場合、最大調理時間のみ、１０分間隔ではなく「９７分」となるという例が挙げられる。
【００３０】
以上のように本実施の形態においては、使用者が正確な残り時間を知ることができ、安全に配慮しながらも使い勝手のよいタイマー調理機能の加熱調理器を提供することができる。
【産業上の利用可能性】
【００３１】
以上のように、本発明にかかる加熱器はタイマー機能のタイマー時間設定方法を誤設定をなくし、より使いやすくすることが可能となるので、ガス機器や加熱調理器全般または、タイマー機能をもった機器全般の用途にも適用できる。
【図面の簡単な説明】
【００３２】
【図１】本発明の実施の形態１または２における加熱器のブロック図
【図２】本発明の実施の形態３または４における加熱器のブロック図
【符号の説明】
【００３３】
１    操作部
２    タイマーキー
３    表示部
４    報知部
５    調理時間変更手段
６    加熱部
７    制御部
８    加熱時間監視手段
【図１】
0004618088.tif 000002
【図２】
0004618088.tif 000003